(57)【特許請求の範囲】
【請求項１】
円形状の底部の周縁部から側面部が延出して全体としてザル形状となり且つ複数の水きり孔を有すると共に、
外部からの操作により全体が歪み変形し得る薄板状のシリコンからなり、ザルとして使用できる第一の状態及びひっくり返した第二の状態とし得る柔軟性を備えた一体成型体であることを特徴とする多機能ザル。
【請求項２】
更に、前記側面部の厚さが０．７ｍｍ以上１．２ｍｍ以下であることを特徴とする請求項１に記載の多機能ザル。
【請求項３】
前記側面部の上部開口部が当該側面部よりも肉厚であることを特徴とする請求項１又は２に記載の多機能ザル。
【請求項４】
更に、前記側面部の縦方向に縦リブを設けたことを特徴とする請求項１〜３のいずれか一つに記載の多機能ザル。
【請求項５】
前記底部の周縁付近に円状の底リブを設けたことを特徴とする請求項１〜４のいずれか一つに記載の多機能ザル。
【請求項６】
前記底部は、前記側面部より肉厚であることを特徴とする請求項１〜５いずれか一つに記載の多機能ザル。
【請求項７】
前記水きり孔の径は、１．５ｍｍ以上２ｍｍ以下であることを特徴とする請求項１〜６のいずれか一つに記載の多機能ザル。
【請求項８】
更に、前記底部の底面には、複数の突起が設けられていることを特徴とする請求項１〜７のいずれか一つに記載の多機能ザル。
【発明の詳細な説明】
【技術分野】
【０００１】  本発明は、食材の水切り、泥落とし、塩もみ、薄皮むき等ができるとともに、鍋つかみとしても利用できる多機能性を有し、かつ収納空間を取らない多機能ザルに関するものである。
【背景技術】
【０００２】  従来、ザルはプラスチック、金属などの硬質素材よりなるものであった。
シリコン樹脂による水きりやザルとしては、肉厚で若干の歪みは発生するが強固に形状を保持するものがあった。
シリコン性で収納空間を少なくするザルとして、側面が上下方向に折りたたむことのできる蛇腹構造のものがあった。これは、蛇腹のヒンジ部のみは折りたたみできる肉厚となっているが、それ以外の側面部は肉厚で若干の歪みは発生するが強固に形状を保持するものであった。
また、ネット状で巾着状に絞り込む調理具があった（特許文献１）。
【特許文献１】  特開平８−２８０５５７
【発明の開示】
【発明が解決しようとする課題】
【０００３】  そのために、次のような問題があった。
硬質素材並びに肉厚で保形力が強いため、水きり機能を主体としたザルとしての機能しか果たさなかった。
形状が大きいため収納空間をとり、収納効率を悪くしていた。
蛇腹構造のザルに関しては、収納効率は向上するが肉厚の分、折り畳んでも一定の厚さが必要となっていた。また、鍋敷きとしての機能も具備するが、重いものを長時間置いていた場合に、下方向に押し広げる付加がかかり、変形や裂傷を引き起こす危険性があった。
また、ネット状で巾着状に絞りこむものは、様々な操作が必要であり、取扱が難しかった。
本発明は以上の欠点を解決するものである。
【課題を解決するための手段】
【０００４】  本発明は、硬度約６０〜約８０の耐熱性及び柔軟性を有するシリコンにより一体成型されたザルである。
前記側面の上部開口部には側面部よりも肉厚となる開口リブとなっている。該開口リブは開口状態に保形する役割を有しつつ、手で簡単に湾曲させることができる柔軟性のあるものである。
本発明のザルは上記各構成要素が一体成型されたものであり、前記突起部が底下部に位置してザルとして使用できる第一の状態と、ひっくり返すことで前記突起部が底上部に位置してザルとして使用できる第二の状態となる柔軟性のあるものである。
本発明の他機能ザルは、放置した状態ではザル形状を維持し、外部からの操作による折りたたみ、食材の水切り、泥落とし、塩もみ、絞り等ができるように歪み変形するものであることを特徴とする多機能ザル。【０００５】  側面の肉厚は約１ｍｍ程度で非常に柔軟となっており、底面は約１，２ｍｍ〜２ｍｍで、手の操作により簡単に湾曲させることができる柔軟性はあるが側面よりは保形力があるようになっている。
前記側面部には、縦方向に定間隔で約０．５ｍｍ〜１．２ｍｍ位の厚みのある複数の縦リブが一体に成型されている。該縦リブは、全体形状を保持する役割を有しつつ、手で簡単に湾曲させることができる柔軟性のあるものである。【０００６】  前記底部は液体を入れた際に、その重量により底部突起間が歪む柔軟性を有し、前記水切り孔は底部がもっとも沈みこむ位置付近に設けられていることを特徴とする。【０００７】  前記底部は前記側面部よりも保形力を有し、前記側面部の対向する上部内側に湾曲させることで収納物を略楕円形状のオムライス形状とすることを特徴とする【０００８】  ザル本体は表面側と裏面側で防滑性が異なるものであることを特徴とする。【０００９】  側面部と底部の境界部付近に境界形状に近似した底リブを設け、該底リブは前記縦リブの対向縦リブ方向位置において切り欠き状となったものであることを特徴とする。
【発明の効果】
【００１０】  本発明を使用することで、水切り、湯きりはもちろん、その柔軟性を利用することで収納物に直接触れることなく表面の汚れ落としや塩もみなどの接触作業を可能とする。
表面に任意の防滑性があることにより、別な接触作業としてにんにくなどの薄皮剥きをすることができ、これにより、手に臭いをつきにくくした。
上記各接触作業において、底部に設けられた突起部の位置を内側にすることにより、より効率的な作業を実現できる。
また、底部に設けられた突起部の位置を外側にすることにより、底部を浮かせて使用することができるため、排水による汚れを防止することができる。
ザル本体をひっくり返すことを可能にしたことにより、汚れた面を外側にして洗浄することができるため衛生的である。
開口リブを設けることにより、上記効果を実現する柔軟性を保持しつつ全体形状を維持することを可能とし、ザル本来の機能を維持することができる。
全体を折りたたみ可能な構成としたために、収納時や携帯時の省スペース化を実現した。【００１１】  縦リブを設けることにより、より保形力を向上させることができる。【００１２】  前記底部は液体を入れた際に、その重量により底部突起間が歪む柔軟性を有し、前記水切り孔は底部がもっとも沈みこむ位置付近に設けることにより、水がザル本体に溜まることを防ぎ、固形状のザルと比較して水切り効率が向上した。
この水切り効果においては、置載面の傾斜や凹凸面がある場所においてより効果を発揮する。【００１３】  ザル本体を略楕円形状のオムライス形状にすることができるため、内部に薄焼き卵を敷き、その上にケチャップライスを置いた状態から、簡単に形の整ったオムライスを作ることができる。【００１４】  表面と裏面の棒滑性を異なるものにすることにより、使用目的に応じて使い分けることができる。【００１５】  側面部と底部の境界部付近に境界形状に近似した底リブを設けることで、より安定的に使用することができる。
該底リブは前記縦リブの対向縦リブ方向位置において前記縦リブをガイドとして折りたたみ可能となるように切り欠き状とすることにより、簡単に一定の形状に折りたたむことが可能となった。
また、切り欠きがあることで、凹凸面や傾斜面においてこの切り欠きが形状調整機能を果たし、水平面における使用と同様の効果を実現する。
【発明を実施するための最良の形態】
【００１６】  以下、本発明の第一実施の形態について図１から図１０を用いて説明する。
図１は本発明の正面図、図２は本発明の平面略図、図３は本発明の底面略図、図４は本発明の第一状態のＡ−Ａ断面図、図５は本発明の第一状態のＢ−Ｂ断面図、図６は、図７は本発明の第二状態の断面図、図８は本発明の使用状態図、図９は本発明の使用状態図、図１０は本発明の他の使用状態説明図、図１１は本発明の他の使用状態説明図である。
なお、各図において、説明で特に説明されない範囲において省略しているが、本発明の構成としては存在するものである。
本発明は、硬度約６０〜約８０の耐熱性及び柔軟性を有するシリコンにより一体成型されたザルである。
底部３は円形状となっており、底部３の周縁部から側面部が延設されており、全体としてザル形状となったものである。
側面部は約０．７ｍｍから１．２ｍｍの厚さであり、シリコンの硬度は約６０〜約８０である。厚さ及び硬度は外部からの加圧、好ましくは手の操作により柔軟に歪むものである。また、側面部２のみで保形するものであることが望ましいが、後述する開口リブ５あるいは縦リブ７とあわせて保形するものであってもよい。
側面部２の上部開口部には側面部よりも肉厚となる開口リブ５が設けられている。リブの厚さは開口状態に保形する役割を有しつつ、手で簡単に湾曲させることができる柔軟性となるようにする。実験としては、２ｍｍ〜３ｍｍで好ましい使用性を確認できた。
図１、図４等に示す状態において、開口リブ５は側面側に突出した方向に形成されている。
側面部２には複数の縦リブ７が設けられている。図示事例においては、縦方向に六等分する位置にそれぞれの縦リブ７が設けられている。縦リブ７は上下方向には同幅であるが、厚みは上部から下部に向うにつれて薄くなっている。最下端は側面部２の下端付近となり、ここでは厚さは０ｍｍとなり縦リブ７と側面部２の厚さは側面部単独のものとなる。
側面部２の、開口リブ５及び縦リブ７が設けられていない位置には任意間隔で複数の水きり孔６ａが設けられている。図においては側面部２の下２／３位置付近に設けられているが、これに限定されるものではなく、使用状態において排出に支障のない範囲で下部一部に設けても良いし、全体に設けたものであってもよい。水きり孔６の径は任意の収納物が流れ出ないものであればよい。好ましくは、米洗いができる１．５ｍｍ〜２ｍｍが望ましい。
底部３は図４、図５に示すように側面部２よりも肉厚となっており、側面部２と同様に手による操作で歪み変形しつつ、側面部２よりも保形力が高くなっている。前記示した側面部の厚さ約０．７ｍｍから１．２ｍｍに対して１．２ｍｍ〜２．５ｍｍ位で肉厚となったもの等があげられる。
底部３の底面には、図３に示すように複数の突起部４が設けられている。図においては１２個設けられているがこれに限定されるものではなく、前記手による操作で変形しつつ、底部３を均等に近い状態で支えるようになっている。
底部３には、側面部２と同様に複数の水切り孔６ｂが設けられている。少なくとも水切り孔６ｂの一部は任意の突起部４の略中間位置となるように設けることが好ましい。
上記各構成よりなる本発明のザル本体は、突起部４が底部３の下部に位置してザルとして使用できる第一の状態と、ひっくり返すことで前記突起部が底部３の上部に位置してザルとして使用できる第二の状態となる柔軟性のあるものである。
本発明は以上の構成よりなる。【００１７】  以下、本発明の使い方について説明する。
ザル本来の使用に際しては、まず図１に示すように突起部４が下方に突出した位置となる第一の状態で、ゆでた麺をお湯ごと流し込んで湯きりしたり、切った素材を入れて水を掛け水切りをする。この際、図６に示すようにお湯や水の重量で底部３が置載面との間に隙間を形成するように若干歪む。この歪みは突起部４が配置された部位では発生せず、突起部４の中間でもっとも下方へ歪んだ状態となる。本発明においては、それらもっとも下方へ歪んだ位置にそれぞれ水きり孔６ｂが設けられているため、注がれた水はこれら水切り孔６ｂに誘導される状態となり、水が溜まることなく効率的に水が排出される。これは置載面が水平状態のときはもちろん、多少の傾斜や凹凸を有する面における使用においても同様の効果を得ることができる。
また、水やお湯、素材などを入れた際、局所的圧力がかかるが開口リブ５の保形力により開口形状が維持される。また、縦方向の局所的圧力に関しては縦リブ７がその保形力により形状を維持する。【００１８】  本発明は、水切り機能以外の機能も複数有する。
一つとして、その柔軟特性から収納した食材を手による操作によりザル本体１の内面を接触させて泥落とし、塩もみ等をすることが可能である。
この際は、図９のように外側から内側へ押し付けて歪ませたり、上下左右にこするように操作する。これにより、図８に示すように自由にゆがみ変形し、食材に接触作用する。この際、底部３が側面部２よりも保形性があるため側面の上側から湾曲する状態となり、ザル本体１内からこぼれにくくなり、効率的に操作することができる。
泥落としであれば図示していないが側面部２及び底部３の水切り孔６から水とともに汚れが落ちる。これにより、直接手を汚すことなく泥落としができる。
きゅうりや枝豆などの塩もみにおいては、食材をいれ適量の塩をふって同様の操作をすることで、手に塩をつけることなく塩を食材表面にもみこむことができる。例えば、茹で上がりたての熱い枝豆であっても、シリコンが耐熱性を有し直接温度で手にゆれないため、冷ます前の一番おいしい状態で作ることができる。また、手に傷がある場合であれば、塩が傷に触れにくいため傷がいたまない。あわせて、食材にも傷の菌が移りにくく衛生的である。
また、ほうれん草のおひたしを作る場合などは、まずゆでたお湯ごとザル本体１に流し込みお湯きりをする。そして、図１０に示すように側面の一側面上部を倒しこむようにし、図１１に示すように対向する側面上部をさらに倒しこむ。この際、前述したように、底部３が側面部２よりも保形性があるため、図示するようにラグビーボールのような略楕円形状となり、内部にほうれん草を閉じ込める。この状態で上から下に押し込んで最後まで水を抜いても良いが、図１１の状態から上下をそれぞれ左右の手で握り、雑巾を絞るように操作すると、ザル本体１がその操作に応じてねじり込まれ、水をきれいに絞りきり、そのままおひたし用として使用することができる。【００１９】  これら各接触操作において、ザル本体１を図７に示すように突起部４が内側にくるようにひっくり返した第二の状態で使用することも可能である。この際、複数の突起部４が突出した状態で収納した食材に触れる。ここで突起部４はその形状およぶ肉厚により側面部２及び底部３よりも硬質に局所的に食材に触れるため、より効率的な作用効果を得られる。【００２０】  また、表面処理を変えることで目的に応じて使い分けろとが可能となる。例えば一方の表面をシボ加工することで防滑性が若干減少する。これにより、餅や団子などにきな粉のような粉末をまぶすようにもみこんだ場合、ザル本体１が餅表面よりもきな粉を寄せ付けないため、ザル本体１に残りにくくなる。これにより、少量のきな粉に節約してまぶすことができる。
逆に、片面を鏡面仕上げにすることで、防滑性は著しく向上する。この状態ではにんにくなどの薄皮をむくときにより簡単にむくことができる。シリコンのザル越しににんにくの薄皮をむくことにより、直接手に臭いがつきにくくなるので、その後丹念に手を洗い臭い落としをする必要がなくなる。【００２１】  上記、各使用方法において、ザルに入れた状態で各種作業が可能となるために、他の食器や用具を使わなくて済む。あわせて使用する水量も減少させられるので省エネ効果を得ることもできる。【００２２】  本発明は全体を様々な形状に折りたたむことができるため、非使用時やアウトドア使用のための携帯性にも優れている。通常、ザルは硬質であり一定量の食材に使用するため収納や携帯において無用な嵩がかかっていたが、本発明のザル本体１はこれを略平面的にすることができるため、省スペースでの扱いが可能となる。【００２３】  以下、本発明の第二実施の形態について図１２を用いて説明する。
図１２は本発明の第二実施形態の底面図である。
本発明はより底部３の保形性を高めるために、底部２の周縁付近に円状壁よりなる底リブ９が設けられたものである。この底リブには複数の切り欠き部が形成されるように離設されている。この切り欠き部は各縦リブ７の延長線上に位置し、かつ折り曲げを可能とするように前記縦リブ７よりも幅広となっている。
本発明は以上の構成よりなる。
これを使用するときは、前記実施形態と同様であるが、底リブ９を有することで、より底部３の保形性を向上させることができる。あわせて切り欠き部が存在することで各操作も実施可能となる。特に折りたたむ場合は、縦リブ７を折り曲げガイドとして利用することで、簡単に扇状に折り曲げることができる。
また、傾斜面や凹凸面で使用する場合でも底リブ９間の切り欠きによりザル本体１がその状態にあわせて湾曲変形し、平面部と同様に使用することができる。【００２４】  以上、各実施形態において図面に基づいて具体的に記載したが、この具体構成に限定されるものではない。
【図面の簡単な説明】
【００２５】
【図１】本発明の正面図
【図２】本発明の平面略図
【図３】本発明の底面略図
【図４】本発明の第一状態のＡ−Ａ断面図
【図５】本発明の第一状態のＢ−Ｂ断面図
【図６】本発明の第一状態の使用説明図
【図７】本発明の第二状態の断面図
【図８】本発明の使用状態図
【図９】本発明の使用状態図
【図１０】本発明の他の使用状態説明図
【図１１】本発明の他の使用状態説明図
【図１２】本発明の第二実施形態の底面図
【符号の説明】
【００２６】  １  ザル本体、
２  側面部、
３  底部、
４  突起部、
５  開口リブ、
６；６ａ；６ｂ  水きり孔、
７  縦リブ、
８  手、
９  底リブ
【図１】
0004625852.tif 000002
【図２】
0004625852.tif 000003
【図３】
0004625852.tif 000004
【図４】
0004625852.tif 000005
【図５】
0004625852.tif 000006
【図６】
0004625852.tif 000007
【図７】
0004625852.tif 000008
【図８】
0004625852.tif 000009
【図９】
0004625852.tif 000010
【図１０】
0004625852.tif 000011
【図１１】
0004625852.tif 000012
【図１２】
0004625852.tif 000013